(57)【要約】【課題】三角屋根を備えた木造建築物の屋根部分の建造に際して、安全で迅速かつ廉価な作業を可能にする木造建築物用屋根パネル、並びに、当該木造建築物の施工方法を提供する。【解決手段】互いに平行になるように配置された複数の垂木桟１２と、各垂木桟の頂部をそれぞれ接合する棟木板１４と、各垂木桟の間に配置された野地根太１６と、垂木桟及び野地根太とほぼ直交するように配置された根太１８と、垂木桟のうち少なくとも両側の垂木桟にそれぞれ取り付けられた吊り上げ用金具２０と、垂木桟の上端の下縁部に固定されたガセット３０と、垂木桟の下端に隣接した個所の下縁部に固定されたブラケット４０とを備え、ガセットの一対の斜辺部材のなす角度αが、建造しようとする木造建築物の三角屋根の頂角に対応しており、ブラケットの斜辺部材と前記垂直部材の延長線とのなす角度βが、建造しようとする木造建築物の三角屋根の頂角の半分の角度に対応している。【選択図】　　図４
2004003122.tif 000002
【特許請求の範囲】
【請求項１】
三角屋根を備えた木造建築物用屋根パネルであって、
互いに平行になるように配置された複数の垂木桟と、
前記各垂木桟の頂部をそれぞれ接合する棟木板と、
前記垂木桟の間に、前記各垂木桟とほぼ直交するように配置された根太と、
パネル全面に貼られた屋根板と、
前記垂木桟のうち少なくとも両側の垂木桟にそれぞれ取り付けられた吊り上げ用金具と、
前記屋根パネルの前記垂木桟の上端の下縁部に固定されたガセットと、
前記屋根パネルの前記垂木桟の下端に隣接した個所の下縁部に固定されたブラケットとを備え、
前記ガセットが、正面視で二等辺三角形の形状を有し、所定幅の鋼板で形成された一対の斜辺部材と底辺部材とを備え、前記各斜辺部材には、前記ガセットを前記屋根パネルに取り付けるための締結具を通すための複数の孔がそれぞれ設けられ、前記ガセットには、補強用の鋼製の側板が取り付けられ、前記一対の斜辺部材のなす角度αが、建造しようとする木造建築物の三角屋根の頂角に対応しており、
前記ブラケットが、水平に延びる底辺部材と、前記底辺部材に対して鋭角を形成するように前記底辺部材の一端から斜め上方に延びる斜辺部材と、前記底辺部材の他端から垂直下方に延びる垂直部材とを備え、これらの部材が、所定幅の鋼板で形成されており、前記各部材には、前記ブラケットを前記屋根パネルに取り付けるための締結具を通すための複数の孔がそれぞれ設けられ、前記ブラケットには、補強用の鋼製の側板が取り付けられ、前記斜辺部材と前記垂直部材の延長線とのなす角度が、建造しようとする木造建築物の三角屋根の頂角の半分の角度に対応していることを特徴とする屋根パネル。
【請求項２】
上縁が前記垂木桟の上縁とほぼ同じ高さに位置し、かつ、前記垂木桟とほぼ平行になるように、前記各垂木桟の間に配置された野地根太を更に備えることを特徴とする請求項１に記載の屋根パネル。
【請求項３】
前記各根太の間の空間に、断熱材が配置されることを特徴とする請求項１又は２に記載の屋根パネル。
【請求項４】
前記角度αが１００°〜１２０°であることを特徴とする請求項１から３までのいずれか１項に記載の屋根パネル。
【請求項５】
少なくとも前記屋根板の全面がビニルシートで被覆されていることを特徴とする請求項１から４までのいずれか１項に記載の屋根パネル。
【請求項６】
三角屋根を備えた木造建築物用屋根パネルに取り付けるガセットであって、
前記ガセットが、正面視で二等辺三角形の形状を有し、所定幅の鋼板で形成された一対の斜辺部材と底辺部材とを備え、前記各斜辺部材には、前記ガセットを前記屋根パネルに取り付けるための締結具を通すための複数の孔がそれぞれ設けられ、前記ガセットには、補強用の鋼製の側板が取り付けられ、前記一対の斜辺部材のなす角度αが、建造しようとする木造建築物の三角屋根の頂角に対応していることを特徴とするガセット。
【請求項７】
前記角度αが１００°〜１２０°であることを特徴とする請求項６に記載のガセット。
【請求項８】
三角屋根を備えた木造建築物用屋根パネルに取り付けるブラケットであって、
前記ブラケットが、水平に延びる底辺部材と、前記底辺部材に対して鋭角を形成するように前記底辺部材の一端から斜め上方に延びる斜辺部材と、前記底辺部材の他端から垂直下方に延びる垂直部材とを備え、これらの部材が、所定幅の鋼板で形成されており、前記各部材には、前記ブラケットを前記屋根パネルに取り付けるための締結具を通すための複数の孔がそれぞれ設けられ、前記ブラケットには、補強用の鋼製の側板が取り付けられ、前記斜辺部材と前記垂直部材の延長線とのなす角度が、建造しようとする木造建築物の三角屋根の頂角の半分の角度に対応していることを特徴とするブラケット。
【請求項９】
前記角度が５０°〜６０°であることを特徴とする請求項８に記載のブラケット。
【請求項１０】
三角屋根を備えた木造建築物の施工方法であって、
互いに平行になるように配置された複数の垂木桟と、前記各垂木桟の頂部をそれぞれ接合する棟木板と、前記垂木桟の間に、前記各垂木桟とほぼ直交するように配置された根太と、パネル全面に貼られた屋根板と、前記垂木桟のうち少なくとも両側の垂木桟にそれぞれ取り付けられた吊り上げ用金具とを備えた屋根パネルであって、前記屋根パネルの前記垂木桟の上端の下縁部に固定されたガセットと、前記屋根パネルの前記垂木桟の下端に隣接した個所の下縁部に固定されたブラケットとを備え、前記ガセットが、正面視で二等辺三角形の形状を有し、所定幅の鋼板で形成された一対の斜辺部材と底辺部材とを備え、前記各斜辺部材には、前記ガセットを前記屋根パネルに取り付けるための締結具を通すための複数の孔がそれぞれ設けられ、前記ガセットには、補強用の鋼製の側板が取り付けられ、前記一対の斜辺部材のなす角度αが、建造しようとする木造建築物の三角屋根の頂角に対応しており、前記ブラケットが、水平に延びる底辺部材と、前記底辺部材に対して鋭角を形成するように前記底辺部材の一端から斜め上方に延びる斜辺部材と、前記底辺部材の他端から垂直下方に延びる垂直部材とを備え、これらの部材が、所定幅の鋼板で形成されており、前記各部材には、前記ブラケットを前記屋根パネルに取り付けるための締結具を通すための複数の孔がそれぞれ設けられ、前記ブラケットには、補強用の鋼製の側板が取り付けられ、前記斜辺部材と前記垂直部材の延長線とのなす角度が、建造しようとする木造建築物の三角屋根の頂角の半分の角度に対応している第１の屋根パネルを準備する段階と、
前記第１の屋根パネルから前記ガセットを取り外した第２の屋根パネルを準備する段階と、
建造しようとする木造建築物の下層階の柱と梁を組み立てる段階と、
前記第１の屋根パネルを吊り上げ、前記下層階の上方に移動させる段階と、
前記下層階の軒部分の上に前記第１の屋根パネルの前記ブラケットを載せる段階と、
前記第２の屋根パネルを吊り上げ、前記第１の屋根パネルと反対側の前記下層階の上方に移動させる段階と、
前記下層階の軒部分の上にブラケットが載り、ガセットの上に上縁が載るように、第２の屋根パネルを移動させる段階と、
前記第１の屋根パネルと前記第２の屋根パネルが所定位置にあることを確認した上で、ガセットを前記第２の屋根パネルに釘で固定するとともに、ブラケットを軒部分に釘で固定する段階と、
を含むことを特徴とする方法。
【請求項１１】
前記軒部分が、正方形横断面の木製部材である第１の軒桁と、前記第１の軒桁の上に配置され、長方形横断面の木製部材を横に寝かせた第２の軒桁とを有し、前記第１の軒桁と前記第２の軒桁とが、ボルトによって一体化されていることを特徴とする請求項１０に記載の方法。
【請求項１２】
前記第１及び第２の屋根パネルが、上縁が前記垂木桟の上縁とほぼ同じ高さに位置し、かつ、前記垂木桟とほぼ平行になるように、前記各垂木桟の間に配置された野地根太を更に備えることを特徴とする請求項１０又は１１に記載の方法。
【請求項１３】
前記各根太の間の空間に、断熱材が配置されることを特徴とする請求項１０から１２までのいずれか１項に記載の方法。
【請求項１４】
前記角度αが１００°〜１２０°であることを特徴とする請求項１０から１３までのいずれか１項に記載の方法。
【請求項１５】
少なくとも前記屋根板の全面がビニルシートで被覆されていることを特徴とする請求項１０から１４までのいずれか１項に記載の方法。
【発明の詳細な説明】
【０００１】
【発明の属する技術分野】
本発明は一般に、三角屋根を備えた木造建築物用屋根パネル、この屋根パネルに取り付けるガセット及びブラケット、並びに、三角屋根を備えた木造建築物の施工方法に関する。より詳細には、本発明は、高所作業における負担を軽減した木造建築物用屋根パネル、この屋根パネルに取り付けるガセット及びブラケット、並びに、木造建築物の施工方法に関する。
【０００２】
【従来の技術】
従来、木造建築物の構法として、木造軸組構法、ツーバイフォー構法などの種々の構法が知られている。これらの構法は、基本的に、工場において部材を所定の長さに切断し、所要の仕口などを作製した後、これらの部材を建築現場に搬入し、組み立てることによって、木造建築物を作るものである。
【０００３】
【発明が解決しようとする課題】
しかしながら、従来のこのような木造建築構法では、建築物の屋根部分を建造するに際して、高所作業が必要となるため、安全ネットを張る必要があり、その準備に多くの時間と労力を要していた。また、高所での電動工具の使用には、危険を伴うという課題があった。また、屋根の建造は、気候の影響を受けやすく、雨天や降雪時には、作業が中断され、工期遅延の一因ともなる。さらに、従来の木造建築構法では、屋根裏部分に、母屋や束などの部材を配置するため、多くの材料が必要となり、コスト的に問題があるとともに、屋根裏部分が、デッドスペースとなり、空間の有効利用ができないという課題があった。
【０００４】
本発明は、上述の現状に鑑み、三角屋根を備えた木造建築物の屋根部分の建造に際して、安全で迅速かつ廉価な作業を可能にする木造建築物用屋根パネル、この屋根パネルに取り付けるガセット及びブラケット、並びに、三角屋根を備えた木造建築物の施工方法を提供することを目的とする。
【０００５】
【課題を解決するための手段】
本願請求項１に記載の木造建築物用屋根パネルは、互いに平行になるように配置された複数の垂木桟と、各垂木桟の頂部をそれぞれ接合する棟木板と、垂木桟の間に、各垂木桟とほぼ直交するように配置された根太と、パネル全面に貼られた屋根板と、垂木桟のうち少なくとも両側の垂木桟にそれぞれ取り付けられた吊り上げ用金具とを備えた屋根パネルあって、屋根パネルの垂木桟の上端の下縁部に固定されたガセットと、屋根パネルの垂木桟の下端に隣接した個所の下縁部に固定されたブラケットとを備え、ガセットが、正面視で二等辺三角形の形状を有し、所定幅の鋼板で形成された一対の斜辺部材と底辺部材とを備え、各斜辺部材には、ガセットを屋根パネルに取り付けるための締結具を通すための複数の孔がそれぞれ設けられ、ガセットには、補強用の鋼製の側板が取り付けられ、一対の斜辺部材のなす角度αが、建造しようとする木造建築物の三角屋根の頂角に対応しており、ブラケットが、水平に延びる底辺部材と、底辺部材に対して鋭角を形成するように底辺部材の一端から斜め上方に延びる斜辺部材と、底辺部材の他端から垂直下方に延びる垂直部材とを備え、これらの部材が、所定幅の鋼板で形成されており、各部材には、ブラケットを屋根パネルに取り付けるための締結具を通すための複数の孔がそれぞれ設けられ、ブラケットには、補強用の鋼製の側板が取り付けられ、斜辺部材と垂直部材の延長線とのなす角度が、建造しようとする木造建築物の三角屋根の頂角の半分の角度に対応していることを特徴とするものである。
【０００６】
本願請求項２に記載の木造建築物用屋根パネルは、前記請求項１の屋根パネルにおいて、上縁が垂木桟の上縁とほぼ同じ高さに位置し、かつ、垂木桟とほぼ平行になるように、各垂木桟の間に配置された野地根太を更に備えることを特徴とするものである。
【０００７】
本願請求項３に記載の木造建築物用屋根パネルは、前記請求項１又は２の屋根パネルにおいて、前記各根太の間の空間に、断熱材が配置されることを特徴とするものである。
【０００８】
本願請求項４に記載の木造建築物用屋根パネルは、前記請求項１から３までのいずれか１項の屋根パネルにおいて、角度αが１００°〜１２０°であることを特徴とするものである。
【０００９】
本願請求項５に記載の木造建築物用屋根パネルは、前記請求項１から４までのいずれか１項に記載の屋根パネルにおいて、少なくとも屋根板の全面がビニルシートで被覆されていることを特徴とするものである。
【００１０】
本願請求項６に記載の木造建築物用屋根パネルに取り付けるガセットは、正面視で二等辺三角形の形状を有し、所定幅の鋼板で形成された一対の斜辺部材と底辺部材とを備え、各斜辺部材には、ガセットを屋根パネルに取り付けるための締結具を通すための複数の孔がそれぞれ設けられ、ガセットには、補強用の鋼製の側板が取り付けられ、一対の斜辺部材のなす角度αが、建造しようとする木造建築物の三角屋根の頂角に対応していることを特徴とするものである。
【００１１】
本願請求項７に記載の木造建築物用屋根パネルに取り付けるガセットは、前記請求項６のガセットにおいて、角度αが１００°〜１２０°であることを特徴とするものである。
【００１２】
本願請求項８に記載の木造建築物用屋根パネルに取り付けるブラケットは、水平に延びる底辺部材と、底辺部材に対して鋭角を形成するように底辺部材の一端から斜め上方に延びる斜辺部材と、底辺部材の他端から垂直下方に延びる垂直部材とを備え、これらの部材が、所定幅の鋼板で形成されており、各部材には、ブラケットを屋根パネルに取り付けるための締結具を通すための複数の孔がそれぞれ設けられ、ブラケットには、補強用の鋼製の側板が取り付けられ、斜辺部材と垂直部材の延長線とのなす角度が、建造しようとする木造建築物の三角屋根の頂角の半分の角度に対応していることを特徴とするものである。
【００１３】
本願請求項９に記載の木造建築物用屋根パネルに取り付けるブラケットは、前記請求項８のブラケットにおいて、角度が５０°〜６０°であることを特徴とするものである。
【００１４】
本願請求項１０に記載の三角屋根を備えた木造建築物の施工方法は、互いに平行になるように配置された複数の垂木桟と、各垂木桟の頂部をそれぞれ接合する棟木板と、垂木桟の間に、各垂木桟とほぼ直交するように配置された根太と、パネル全面に貼られた屋根板と、垂木桟のうち少なくとも両側の垂木桟にそれぞれ取り付けられた吊り上げ用金具と、屋根パネルの垂木桟の上端の下縁部に固定されたガセットと、屋根パネルの垂木桟の下端に隣接した個所の下縁部に固定されたブラケットとを備え、ガセットが、正面視で二等辺三角形の形状を有し、所定幅の鋼板で形成された一対の斜辺部材と底辺部材とを備え、各斜辺部材には、ガセットを屋根パネルに取り付けるための締結具を通すための複数の孔がそれぞれ設けられ、ガセットには、補強用の鋼製の側板が取り付けられ、一対の斜辺部材のなす角度αが、建造しようとする木造建築物の三角屋根の頂角に対応しており、ブラケットが、水平に延びる底辺部材と、底辺部材に対して鋭角を形成するように底辺部材の一端から斜め上方に延びる斜辺部材と、底辺部材の他端から垂直下方に延びる垂直部材とを備え、これらの部材が、所定幅の鋼板で形成されており、各部材には、ブラケットを屋根パネルに取り付けるための締結具を通すための複数の孔がそれぞれ設けられ、ブラケットには、補強用の鋼製の側板が取り付けられ、斜辺部材と垂直部材の延長線とのなす角度が、建造しようとする木造建築物の三角屋根の頂角の半分の角度に対応している第１の屋根パネルを準備する段階と、第１の屋根パネルからガセットを取り外した第２の屋根パネルを準備する段階と、建造しようとする木造建築物の下層階の柱と梁を組み立てる段階と、第１の屋根パネルを吊り上げ、下層階の上方に移動させる段階と、下層階の軒部分の上に第１の屋根パネルのブラケットを載せる段階と、第２の屋根パネルを吊り上げ、第１の屋根パネルと反対側の下層階の上方に移動させる段階と、下層階の軒部分の上にブラケットが載り、ガセットの上に上縁が載るように、第２の屋根パネルを移動させる段階と、第１の屋根パネルと第２の屋根パネルが所定位置にあることを確認した上で、ガセットを第２の屋根パネルに釘で固定するとともに、ブラケットを軒部分に釘で固定する段階とを含むことを特徴とするものである。
【００１５】
本願請求項１１に記載の三角屋根を備えた木造建築物の施工方法は、前記請求項１０の方法において、軒部分が、正方形横断面の木製部材である第１の軒桁と、第１の軒桁の上に配置され、長方形横断面の木製部材を横に寝かせた第２の軒桁とを有し、第１の軒桁と第２の軒桁とが、ボルトによって一体化されていることを特徴とするものである。
【００１６】
本願請求項１２に記載の三角屋根を備えた木造建築物の施工方法は、前記請求項１０又は１１の方法において、第１及び第２の屋根パネルが、上縁が垂木桟の上縁とほぼ同じ高さに位置し、かつ、垂木桟とほぼ平行になるように、各垂木桟の間に配置された野地根太を更に備えることを特徴とするものである。
【００１７】
本願請求項１３に記載の三角屋根を備えた木造建築物の施工方法は、前記請求項１０から１２までのいずれか１項の方法において、前記各根太の間の空間に、断熱材が配置されることを特徴とするものである。
【００１８】
本願請求項１４に記載の三角屋根を備えた木造建築物の施工方法は、前記請求項１０から１３までのいずれか１項の方法において、角度αが１００°〜１２０°であることを特徴とするものである。
【００１９】
本願請求項１５に記載の三角屋根を備えた木造建築物の施工方法は、前記請求項１０から１４までのいずれか１項の方法において、少なくとも前記屋根板の全面がビニルシートで被覆されていることを特徴とするものである。
【００２０】
【発明の実施の形態】
次に図面を参照して、本発明の好ましい実施の形態について詳細に説明する。図１は、本発明の好ましい実施の形態に係る木造建築物用屋根パネルの骨組みを示した斜視図である。図１及び図２において全体として参照符号１０で示される本発明の好ましい実施の形態に係る木造建築物用屋根パネルは、互いに平行になるように配置された３つの垂木桟１２と、各垂木桟１２の頂部をそれぞれ接合する棟木板１４と、上縁が垂木桟１２の上縁と同じ高さに位置し、かつ、垂木桟１２と平行になるように、各垂木桟１２の間に配置された野地根太１６と、両側の垂木桟１２の間に、各垂木桟１２及び野地根太１６と直交するように配置された根太１８とを備える。
【００２１】
各部材１２、１４、１６、１８の接合は、従来の方法、すなわち、接合個所にほぞとほぞ穴（いずれも図示せず）を設け、ほぞ穴にほぞを挿入して釘で固定することによって行われる。
【００２２】
屋根パネル１０には、図２に示されるように、その全面に、屋根板２２が貼られている。屋根板２２は、垂木桟１２及び野地根太１６の上縁で支持され、垂木桟１２及び野地根太１６の上縁に釘で固定されている。
【００２３】
両側の垂木桟１２の内面には、吊り上げ用金具２０が取り付けられている。図３は、吊り上げ用金具２０の取り付け部の拡大断面図である。吊り上げ用金具２０は、垂木桟１２の内面に釘で固定されている。吊り上げ用金具２０の取り付け部が位置する屋根板２２の個所には、開口部２４が設けられており、開口部２４から吊り上げ用フックを挿入し、吊り上げ金具２０に引っ掛けることにより、屋根パネル１０を吊り上げることができる。
【００２４】
屋根パネル１０は好ましくは、少なくとも屋根板２２の全面が、ビニルシート２６で被覆されている。これにより、降雨や降雪に際しての屋根パネル１０の据付け作業において、降雨や降雪の影響を最小限にすることができる。なお、ビニルシート２６には、屋根板２２の開口部２４に対応する個所に、吊り上げ用金具２０が通る穴（図示せず）が設けられている。
【００２５】
屋根パネル１０は更に、ガセット３０と、ブラケット４０とを備える。図４（ａ）は、ガセット３０及びブラケット４０を備える屋根パネル１０の正面図である（なお、図１及び図２においては、図面の簡単化のため、ガセット３０及びブラケット４０は省略されている）。正面視で二等辺三角形の形状を有するガセット３０は、一対の斜辺部材３０ａ、３０ｂと、底辺部材３０ｃとを備え、これらの部材３０ａ、３０ｂ、３０ｃは、所定幅の鋼板で形成されている。斜辺部材３０ａ、３０ｂには、ガセット３０を垂木桟１２に固定する釘、ねじ等を通すための複数の孔３０ｅがそれぞれ設けられている。ガセット３０を補強するため、ガセット３０に、側板３０ｄが取り付けられている。
【００２６】
なお、図４（ｂ）に示されるように、屋根パネル１０の各根太１８の間の空間に、断熱材１９を配置するのが好ましい。
【００２７】
ガセット３０の斜辺部材３０ａ、３０ｂのなす角度αは、図９に示されるように、建造しようとする木造建築物の三角屋根のなす角度に対応しており、角度αは、好ましくは１００°〜１２０°である。
【００２８】
ブラケット４０は、図８（ａ）に最も良く示されるように、水平に延びる底辺部材４０ａと、底辺部材４０ａに対して鋭角βを形成するように底辺部材４０ａの一端から斜め上方に延びる斜辺部材４０ｂと、底辺部材４０ａの他端から垂直下方に延びる垂直部材４０ｃとを備え、これらの部材４０ａ、４０ｂ、４０ｃは、所定幅の鋼板で形成されている。部材４０ａ、４０ｂ、４０ｃには、ブラケット４０を垂木桟１２等に固定する釘、ねじ等を通すための複数の孔４０ｅがそれぞれ設けられている。ブラケットを補強するため、底辺部材４０ａと斜辺部材４０ｂとによって構成される面に、側板４０ｄが取り付けられている。
【００２９】
ブラケット４０の斜辺部材４０ａと垂直部材４０ｃの延長線とのなす角度は、（２／α）であり、従って、ブラケット４０の底辺部材４０ａと斜辺部材４０ｂとのなす角度βは、９０°−（２／α）となる。
【００３０】
ガセット３０は、図９及び図１０に示されるように、屋根パネル１０の垂木桟１２の上端の下縁部に固定される。ブラケットは、図９及び図１１に示されるように、屋根パネル１０の垂木桟１２の下端に隣接した個所の下縁部に固定される。なお、ガセット３０は、棟木板１４を挟んで対応する２つの屋根パネル１０のうち一方の屋根パネル１０のみに取り付ければよい。
【００３１】
次に、図１２を参照して、以上のように構成された屋根パネルを使用して木造建築物を施工する方法について説明する。まず、下層階（１階建て木造建築物の場合には１階、２階建て木造建築物の場合には１階及び２階）の柱と梁を組み立てる。その際、好ましくは、図１１に最も良く示されるように、下層階の軒部分に、第１の軒桁５０と第２の軒桁５２を配置する。第１の軒桁５０には、好ましくは、正方形の横断面の木製部材を使用し、第２の軒桁５２には、好ましくは、長方形の横断面の木製部材を「横に寝かせた状態」（図１１参照）で使用する。第２の軒桁５２は、第１の軒桁５０の上に位置しており、第１の軒桁５０と第２の軒桁５２は、長ボルト５４によって、一体化されている。
【００３２】
次いで、ガセット３０が取り付けられた第１の屋根パネル１０をワイヤで吊り上げ、下層階の上方に移動させる（図１２（ａ）参照）。次いで、第２の軒桁５２の上に第１の屋根パネル１０のブラケット４０を載せる（図１２（ｂ）参照）。次いで、ガセット３０が取り付けられていない第２の屋根パネル１０をワイヤで吊り上げ、第１の屋根パネル１０と反対側の下層階の上方に移動させる（図１２（ｃ）参照）。次いで、第２の軒桁５２の上にブラケット４０が載り、ガセット３０の上に上縁が載るように、第２の屋根パネル１０を移動させる。しかる後、第１の屋根パネル１０と第２の屋根パネル１０が所定位置にあることを確認した上で、図１０に示されるように、ガセット３０を第２の屋根パネル１０に釘で固定するとともに、図１１に示されるように、ブラケット４０を第２の軒桁５２に釘で固定する。最後に、屋根パネル１０のワイヤを取り外して、屋根工事を行う。
【００３３】
本発明は、以上の発明の実施の形態に限定されることなく、特許請求の範囲に記載された発明の範囲内で、種々の変更が可能であり、それらも本発明の範囲内に包含されるものであることはいうまでもない。
【００３４】
例えば、前記実施の形態において、３本の垂木桟１２と２本の野地根太１６が図示されているが、図示されている部材の本数は、単なる例示にすぎない（図１３（ａ）には、野地根太１６が１本の場合が示されている）。また、隣接する垂木桟１２間の間隔が狭い場合には、図１３（ｂ）に示されるように、野地根太１６を省略することもできる。
【００３５】
【発明の効果】
本発明の屋根パネル及び本発明の施工方法を使用して木造建築物を建造すれば、安全ネットを張る必要がなくなり、高所において電動工具を使用しなくともよくなるので、危険な高所作業を極力回避することができる。また、ビニルシートで覆った屋根パネルを使用することにより、雨天や降雪時でも、作業を中断する必要がなくなる。また、予め工場で屋根パネルを組み立てるので、材料の無駄を省くことができる。また、母屋や束などの部材を使用しないので、材料コスト及び材料の運搬コストを低減することができるとともに、屋根裏部分を、いわゆるロフトスペースとして有効に利用することができる。さらに、屋根パネルに断熱材を配置することにより、現場で断熱材を取り付ける手間を省くことができる。以上のように、本発明の屋根パネル、この屋根パネルに取り付けるガセット及びブラケット、並びに、木造建築物の施工方法は、従来の木造建築物の建造と比較して、安全面、工期面、及びコスト面において多大な利点を提供する。
【図面の簡単な説明】
【図１】本発明の好ましい実施の形態に係る木造建築物用屋根パネルの骨組みを示した斜視図である。
【図２】図１の屋根パネルに屋根板を貼り、ビニルシートで被覆した状態を示した斜視図である。
【図３】吊り上げ用金具の取り付け部の拡大断面図である。
【図４】図１の屋根パネルの正面図である。
【図５】図１の屋根パネルに取り付けるガセットの斜視図である。
【図６】（ａ）は、図５のガセットの正面図、（ｂ）は、図６（ａ）の線６ｂ−６ｂに沿って見たガセットの平面図、（ｃ）は、図６（ａ）の線６ｃ−６ｃに沿って見たガセットの断面図である。
【図７】図１の屋根パネルに取り付けるブラケットの斜視図である。
【図８】（ａ）は、図７のガセットの正面図、（ｂ）は、図８（ａ）の線８ｂ−８ｂに沿って見たガセットの平面図、（ｃ）は、図８（ａ）の線８ｃ−８ｃに沿って見たガセットの断面図である。
【図９】図１の屋根パネルが据え付けられた状態を示した概略図である。
【図１０】図９の部分Ａの拡大図である。
【図１１】図９の部分Ｂの拡大図である。
【図１２】本発明の施工方法の一連の手順を示した概略図である。
【図１３】本発明の屋根パネルの変形形態を示した斜視図である。
【符号の説明】
１０　屋根パネル
１２　垂木桟
１４　棟木板
１６　野地根太
１８　根太
１９　断熱材
２０　吊り上げ用金具
２２　屋根板
２６　ビニルシート
３０　ガセット
４０　ブラケット
５０、５２　軒桁
【図１】
2004003122.tif 000003
【図２】
2004003122.tif 000004
【図３】
2004003122.tif 000005
【図４】
2004003122.tif 000006
【図５】
2004003122.tif 000007
【図６】
2004003122.tif 000008
【図７】
2004003122.tif 000009
【図８】
2004003122.tif 000010
【図９】
2004003122.tif 000011
【図１０】
2004003122.tif 000012
【図１１】
2004003122.tif 000013
【図１２】
2004003122.tif 000014
【図１３】
2004003122.tif 000015